(57)【要約】【課題】炊飯器本体内に着脱自在に収納された鍋を誘導加熱する炊飯器において、コイルベースの変形が炊飯性能に及ぼす影響を小さくし、また、鍋と加熱コイルとのギャップの調整を容易にして炊飯性能を安定化し、金型構造を簡素化して金型費を削減するとともに、一体成形部分を大幅に少なくして、リサイクル性を向上する。【解決手段】炊飯器本体１内に鍋２を着脱自在に収納し、この鍋２を加熱コイルユニット８により誘導加熱し、鍋２と加熱コイルユニット８の間に加熱コイルユニット８を保持するコイルベース１１を設ける。加熱コイルユニット８は、加熱コイル５と高透磁性の磁性材料で形成したフェライト９とを連結部材１５を介して一体に成形する。【選択図】  図１
2004313440.tif 000002
【特許請求の範囲】
【請求項１】
炊飯器本体と、前記炊飯器本体内に着脱自在に収納された鍋と、前記鍋を誘導加熱する加熱コイルユニットと、鍋と加熱コイルユニットの間に設け前記加熱コイルユニットを保持するコイルベースとを備え、前記加熱コイルユニットは、加熱コイルと高透磁性の磁性材料で形成したフェライトとを連結部材を介して一体に成形した炊飯器。
【請求項２】
加熱コイルは、鍋底部の中央部付近に配設した内コイルと、底側部に配設した外コイルとをそれぞれ同心円状に配置した請求項１記載の炊飯器。
【請求項３】
加熱コイルユニットの固定部は、コイルベースの底側部付近に設けた請求項１記載の炊飯器。
【請求項４】
加熱コイルユニットは、コイルベースに対して隙間を設けて配設した請求項１記載の炊飯器。
【請求項５】
加熱コイルユニットは、内コイルと外コイルのそれぞれにコイルベースに対する固定部を有し、鍋とのギャップをそれぞれ単独で調整可能とした請求項１または２記載の炊飯器。
【発明の詳細な説明】
【０００１】
【発明の属する技術分野】
本発明は、炊飯器本体内に着脱自在に収納された鍋を誘導加熱する炊飯器に関するものである。
【０００２】
【従来の技術】
従来、この種の炊飯器は、コイルベースに加熱コイルを接着し、さらにその外側にフェライトを一体に成形したフェライト台をコイルベースに固定する構成や、部品点数および組立工数の削減のため、コイルベースに加熱コイルとフェライトを一体に成形して構成していた（例えば、特許文献１参照）。
【０００３】
【特許文献１】
特開平１０−１１３２７８号公報
【０００４】
【発明が解決しようとする課題】
しかしながら、前述のような構成では、炊飯性能に最も影響を及ぼす要因である鍋と加熱コイルの距離であるギャップがコイルベースのそりや変形の影響を受けやすく、安定した炊飯性能を確保することが困難であるため、例えば、組立工程にて全数ギャップの管理、調整を行って所望の炊飯性能を確保している場合もある。
【０００５】
また、コイルベースに加熱コイルを接着する構成では、組立時の部品点数が多い上、接着剤の乾燥にかかる時間等のロスが多くなる。
【０００６】
一方、コイルベースに加熱コイルとフェライトを一体にインサート成形している場合では、部品点数と組立工数は低減できるものの、様々な異種材料が一体に成形されているため、成形安定性が優れているとはいいにくく、金型完成後の微妙なギャップ調整が不可能であった。
【０００７】
また、インサート成形のコイルベースの場合は、成形サイクル短縮のため、インサート成形中にもう一方のコア型には、インサート部材をあらかじめセットしておく必要があるので、金型としては、キャビ面は１面であるが、コア面は２面必要であり、機能的にも炊飯器の核となる複雑で重要な部品にもかかわらず、形状がデザインに依存する部分も多く、デザインが変わるたびに新規に金型を製作する必要があり、金型投資の面からも多大な費用が発生していた。
【０００８】
また、環境の観点からみても、様々な異種材料が一体に成形されているため、リサイクル性に優れているとはいいにくいという問題があった。
【０００９】
本発明は上記従来の課題を解決するもので、コイルベースの変形が炊飯性能に及ぼす影響を小さくし、また、鍋と加熱コイルとのギャップの調整を容易にして、炊飯性能を安定化し、金型構造を簡素化して金型費を削減するとともに、一体成形部分を大幅に少なくして、リサイクル性を向上することを目的としている。
【００１０】
【課題を解決するための手段】
本発明は上記目的を達成するために、炊飯器本体内に鍋を着脱自在に収納し、この鍋を加熱コイルユニットにより誘導加熱し、鍋と加熱コイルユニットの間に加熱コイルユニットを保持するコイルベースを設け、加熱コイルユニットは、加熱コイルと高透磁性の磁性材料で形成したフェライトとを連結部材を介して一体に成形したものである。
【００１１】
これにより、コイルベースの変形が炊飯性能に及ぼす影響を小さくすることができ、また、鍋と加熱コイルとのギャップの調整を容易にできて、炊飯性能を安定化することができ、金型構造を簡素化して金型費を削減することができるとともに、一体成形部分を大幅に少なくして、リサイクル性を向上することができる。
【００１２】
【発明の実施の形態】
本発明の請求項１に記載の発明は、炊飯器本体と、前記炊飯器本体内に着脱自在に収納された鍋と、前記鍋を誘導加熱する加熱コイルユニットと、鍋と加熱コイルユニットの間に設け前記加熱コイルユニットを保持するコイルベースとを備え、前記加熱コイルユニットは、加熱コイルと高透磁性の磁性材料で形成したフェライトとを連結部材を介して一体に成形したものであり、コイルベースの変形が炊飯性能に及ぼす影響を小さくすることができ、また、鍋と加熱コイルとのギャップの調整を容易にできて、炊飯性能を安定化することができるとともに、金型構造を簡素化して、金型費を削減することができるとともに、一体成形部分を大幅に少なくして、リサイクル性を向上することができる。
【００１３】
請求項２に記載の発明は、上記請求項１に記載の発明において、加熱コイルは、鍋底部の中央部付近に配設した内コイルと、底側部に配設した外コイルとをそれぞれ同心円状に配置したものであり、鍋をより効率的に加熱することができて、炊飯性能を向上することができる。
【００１４】
請求項３に記載の発明は、上記請求項１に記載の発明において、加熱コイルユニットの固定部は、コイルベースの底側部付近に設けたものであり、コイルベースの成形時のそりや変形の影響を受けにくくすることができ、より安定した炊飯性能を確保することができる。
【００１５】
請求項４に記載の発明は、上記請求項１に記載の発明において、加熱コイルユニットは、コイルベースに対して隙間を設けて配設したものであり、コイルベースの変形の影響をうけにくく、鍋と加熱コイルユニットの距離を安定化させることができ、より安定した炊飯性能を確保することができるとともに、効率よくコイルユニット冷却することができ、加熱コイルユニットの発熱を抑制することができる。
【００１６】
請求項５に記載の発明は、上記請求項１または２に記載の発明において、加熱コイルユニットは、内コイルと外コイルのそれぞれにコイルベースに対する固定部を有し、鍋とのギャップをそれぞれ単独で調整可能としたものであり、炊飯性能の微妙な調整が容易となり、ユーザーによりよい炊飯性能の炊飯器を提供することができる。
【００１７】
【実施例】
以下、本発明の実施例について、図面を参照しながら説明する。
【００１８】
（実施例１）
図１および図２に示すように、炊飯器本体１は、内部にフランジ付きの鍋２を着脱自在に収納し、炊飯器本体１の上部には、一端を開放自在で他端をヒンジ軸３により枢支された蓋体４を回動自在に設けている。鍋２の下方には、誘導加熱により鍋２を加熱する加熱コイル５を設けており、加熱コイル５は、鍋２の底中心付近に設けた内コイル６と、鍋２の底側部に設けた外コイル７とをそれぞれ同心円状に構成しており、内コイル６と外コイル７は接続線１４により電気的に接続した構成となっている。
【００１９】
また、高磁性の磁性材料で形成したフェライト９を内コイル６と外コイル７の間をまたいで設けており、加熱コイル５とフェライト９とを連結部材１５を介して一体に成形することにより、加熱コイルユニット８を形成している。また、加熱コイルユニット８には、コイルユニット取付け部１０を設けており、このコイルユニット取付け部１０により、鍋２と加熱コイル５の間に設けたコイルベース１１に取り付ける構成となっている。
【００２０】
ここで、コイルユニット取付け部１０は、コイルベース１１の底中央部付近ではなく、内コイル６と外コイル７の間の底側部付近に設け、成形時のそりや変形の影響を受けにくい構成となっている。
【００２１】
また、加熱コイルユニット８はコイルベース１１に対して隙間を設けて配設している。この隙間により、コイルベース１１のそりや変形を逃がすことができ、さらに、冷却ファン（図示せず）の風が加熱コイルユニット８とコイルベース１１の間の隙間を通ることにより、加熱コイル５の温度上昇を抑え、安全性を高める構成となっている。
【００２２】
上記構成において作用を説明する。炊飯性能に最も大きな影響をおよぼす鍋２と加熱コイル５のギャップを、コイルユニット取付け部１０で調整することができ、炊飯性能の微妙な調整が容易となり、ユーザーによりよい炊飯性能の炊飯器を提供できる上、加熱コイルユニット８を標準化することで、デザイン変更による外形形状の変化にもコイルベース１１のみで対応することができ、加熱コイルユニット８は共用して使用でき、新規金型投資を抑制することができる上、加熱コイル５、フェライト９等をすべてインサート成形にて一体に成形したものに対して、分解時のリサイクル性にも優れる。
【００２３】
また、加熱コイル５は、鍋２底部の中央部付近に配設した内コイル６と、底２の側部に配設した外コイル７とをそれぞれ同心円状に配置したので、鍋２をより効率的に加熱することができて、炊飯性能を向上することができる。
【００２４】
また、加熱コイルユニット８の固定部は、コイルベース１１の底側部付近に設けたので、コイルベース１１の成形時のそりや変形の影響を受けにくくすることができ、より安定した炊飯性能を確保することができる。
【００２５】
また、加熱コイルユニット８は、コイルベース１１に対して隙間を設けて配設したので、コイルベース１１の変形の影響をうけにくく、鍋２と加熱コイルユニット８の距離を安定化させることができ、より安定した炊飯性能を確保することができるとともに、効率よくコイルユニット冷却することができ、加熱コイルユニット８の発熱を抑制することができる。
【００２６】
（実施例２）
図３および図４に示すように、加熱コイルユニット８は、加熱コイル５を構成する内コイル６に内コイル取付け部１２を設け、外コイル７に外コイル取付け部１３を設けてコイルベース１１に固定し、鍋２とのギャップをそれぞれ単独で調整可能としている。他の構成は上記実施例１と同じであり、同一符号を付して説明を省略する。
【００２７】
上記構成において作用を説明する。炊飯性能に最も大きな影響をおよぼす鍋２と加熱コイル５のギャップについて、内コイル取付け部１２および外コイル取付け部１３を調節することにより、内コイル６、外コイル７それぞれ独立して鍋２との距離を近づけたり遠ざけたりすることができ、炊飯中における鍋２の内部の内対流と外対流のバランスを変化させることができ、炊飯性能の微妙な調整が容易となるため、ユーザーによりよい炊飯性能の炊飯器を提供することができる。
【００２８】
なお、上記各実施例では、内コイル６と外コイル７とを接続線１４にて電気的に接続しているが、内コイル６と外コイル７とをそれぞれ単独に制御する場合においても同様の効果が得られることはいうまでもない。
【００２９】
また、フェライト９の本数は特に明記していないが、加熱コイルユニット８の金型を入子構造にすることにより、基本の加熱コイルユニット８は共通としたまま、炊飯器の機種展開によりフェライト７の本数を可変とすることができ、さらに金型費の削減効果が得られる。
【００３０】
【発明の効果】
以上のように本発明の請求項１に記載の発明によれば、鍋と加熱コイルユニットの間に加熱コイルユニットを保持するコイルベースを設け、加熱コイルユニットは、加熱コイルと高透磁性の磁性材料で形成したフェライトとを連結部材を介して一体に成形したから、コイルベースの変形が炊飯性能に及ぼす影響を小さくすることができ、また、組み立て性の簡素化をはかれるとともに、炊飯性能に最も大きな影響をおよぼす鍋と加熱コイルのギャップの調整を容易にできて、炊飯性能を安定化することができ、さらに、加熱コイルユニットを標準化することにより、デザイン要望による外形形状の変化にもコイルベースのみで対応することができ、金型構造を簡素化して、金型費を削減することができるとともに、加熱コイル、フェライト等をすべてインサート成形にて一体に成形したものに対して、分解時のリサイクル性を向上することができる。
【００３１】
また、請求項２に記載の発明によれば、加熱コイルは、鍋底部の中央部付近に配設した内コイルと、底側部に配設した外コイルとをそれぞれ同心円状に配置したから、鍋をより効率的に加熱することができて、炊飯性能を向上することができる。
【００３２】
また、請求項３に記載の発明によれば、加熱コイルユニットの固定部は、コイルベースの底側部付近に設けたから、コイルベースの成形時のそりや変形の影響を受けにくくすることができ、より安定した炊飯性能を確保することができる。
【００３３】
また、請求項４に記載の発明によれば、加熱コイルユニットは、コイルベースに対して隙間を設けて配設したから、コイルベースの変形の影響をうけにくく、鍋とコイルユニットの距離を安定化させることができ、より安定した炊飯性能を確保することができるとともに、効率よくコイルユニット冷却することができ、コイルユニットの発熱を抑制することができる。
【００３４】
また、請求項５に記載の発明によれば、加熱コイルユニットは、内コイルと外コイルのそれぞれにコイルベースに対する固定部を有し、鍋とのギャップをそれぞれ単独で調整可能としたから、炊飯性能の微妙な調整が容易となり、ユーザーによりよい炊飯性能の炊飯器を提供することができる。
【図面の簡単な説明】
【図１】本発明の第１の実施例の炊飯器の縦断面図
【図２】同炊飯器の下面図
【図３】本発明の第２の実施例の炊飯器の縦断面図
【図４】同炊飯器の下面図
【符号の説明】
１  炊飯器本体
２  鍋
５  加熱コイル
８  加熱コイルユニット
９  フェライト
１１  コイルベース
１５  連結部材
【図１】
2004313440.tif 000003
【図２】
2004313440.tif 000004
【図３】
2004313440.tif 000005
【図４】
2004313440.tif 000006